(57)【要約】    【課題】  本発明は、印刷物の所望のページの特定を容易に行なうことができる画像形成装置を提供する。    【解決手段】  ＭＦＰ１００上に開いた状態で載置された非接触ＩＣ付き雑誌４０１に付加された非接触ＩＣからページ情報９０１を読み取り、読み取ったページ情報９０１内のＩＰアドレスからサーバ５２０を認識すると共に、ページ情報９０１内のシリアルＩＤに基づいてサーバ５２０からページ番号群（第１のページ番号群及び第２のページ番号群）を取得し、取得したページ番号群から雑誌４０１の開かれたページ番号を特定し、当該ページ番号に対応する広告詳細ファイルをサーバ５２０から取得して印刷する。【選択図】      図９
2006110854.tif 000002
【特許請求の範囲】
【請求項１】
画像を読み取って印刷出力する画像形成装置において、
無線交信可能な無線交信素子が付加された印刷物からページ情報を読み取るページ情報読取手段と、
前記読み取られたページ情報に基づいて前記印刷物のページを特定するページ特定手段と、
前記特定されたページの詳細情報を取得するページ情報取得手段と、
前記取得した詳細情報を印刷出力する出力手段とを備えることを特徴とする画像形成装置。
【請求項２】
前記印刷物の画像を読み取る画像読取手段と、
前記読み取られた画像に、前記特定されたページのページ情報を付加するページ情報付加手段と、
前記ページ情報が付加された画像を前記特定されたページの昇順又は降順にソートするソート手段とを更に備え、
前記出力手段は、前記ソートされた画像を順に印刷出力することを特徴とする請求項１記載の画像形成装置。
【請求項３】
前記ページ特定手段は、前記読み取られたページ情報に基づいて、ネットワークを介して接続された情報処理装置からページ番号を取得し、前記ページ情報取得手段は、前記取得されたページ番号に基づいて前記詳細情報を前記情報処理装置から取得することを特徴とする請求項１又は２記載の画像形成装置。
【請求項４】
前記読取手段は、所定のページが開かれた印刷物の一方の紙束に付加されている無線交信素子からページ情報を読み取る第１の読取手段と、当該印刷物の他方の紙束に付加されている無線交信素子からページ情報を読み取る第２の読取手段とを備えることを特徴とする請求項１乃至３のいずれか１項に記載の画像形成装置。
【請求項５】
前記ページ特定手段は、前記第１の読取手段及び前記第２の読取手段によりそれぞれ読み取られたページ情報に基づいて、前記印刷物の開いたページのページ番号を特定することを特徴とする請求項４記載の画像形成装置。
【請求項６】
前記ページ情報には、前記印刷物のページを一意に特定するシリアルＩＤが含まれることを特徴とする請求項１乃至５のいずれか１項に記載の画像形成装置。
【請求項７】
前記読取手段は、ＲＦＩＤ方式により前記ページ情報を読み取ることを特徴とする請求項１乃至６のいずれか１項に記載の画像形成装置。
【請求項８】
前記無線交信素子は、ＲＦＩＤタグで構成されていることを特徴とする請求項７記載の画像形成装置。
【請求項９】
画像を読み取って印刷出力する画像形成装置の制御方法において、
無線交信可能な無線交信素子が付加された印刷物からページ情報を読み取るページ情報読取工程と、
前記読み取られたページ情報に基づいて前記印刷物のページを特定するページ特定工程と、
前記特定されたページの詳細情報を取得するページ情報取得工程と、
前記取得した詳細情報を印刷出力する出力工程とを備えることを特徴とする画像形成装置の制御方法。
【請求項１０】
前記印刷物の画像を読み取る画像読取工程と、
前記読み取られた画像に、前記特定されたページのページ情報を付加するページ情報付加工程と、
前記ページ情報が付加された画像を前記特定されたページの昇順又は降順にソートするソート工程とを更に備え、
前記出力工程は、前記ソートされた画像を順に印刷出力することを特徴とする請求項９記載の画像形成装置の制御方法。
【請求項１１】
前記ページ特定工程は、前記読み取られたページ情報に基づいて、ネットワークを介して接続された情報処理装置からページ番号を取得し、前記ページ情報取得工程は、前記取得されたページ番号に基づいて前記詳細情報を前記情報処理装置から取得することを特徴とする請求項９又は１０記載の画像形成装置の制御方法。
【請求項１２】
前記読取工程は、所定のページが開かれた印刷物の一方の紙束に付加されている無線交信素子からページ情報を読み取る第１の読取工程と、当該印刷物の他方の紙束に付加されている無線交信素子からページ情報を読み取る第２の読取工程とを備えることを特徴とする請求項９乃至１１のいずれか１項に記載の画像形成装置の制御方法。
【請求項１３】
前記ページ特定工程は、前記第１の読取工程及び前記第２の読取工程にてそれぞれ読み取られたページ情報に基づいて、前記印刷物の開いたページのページ番号を特定することを特徴とする請求項１２記載の画像形成装置の制御方法。
【請求項１４】
前記ページ情報には、前記印刷物のページを一意に特定するシリアルＩＤが含まれることを特徴とする請求項９乃至１３のいずれか１項に記載の画像形成装置の制御方法。
【請求項１５】
前記読取工程は、ＲＦＩＤ方式により前記ページ情報を読み取ることを特徴とする請求項９乃至１４のいずれか１項に記載の画像形成装置の制御方法。
【請求項１６】
前記無線交信素子は、ＲＦＩＤタグで構成されていることを特徴とする請求項１５記載の画像形成装置の制御方法。
【請求項１７】
請求項９乃至１６のいずれか１項に記載の制御方法をコンピュータに実行させるためのコンピュータに読み取り可能なプログラム。
【発明の詳細な説明】
【技術分野】
【０００１】
本発明は、画像形成装置及びその制御方法、並びにプログラムに関し、特に、印刷物の各ページに付加された情報記憶媒体からページ情報を読み取ることが可能な画像形成装置その制御方法、並びにプログラムに関する。
【背景技術】
【０００２】
近年、複写機にプリンタ機能、スキャナ機能、及びファクシミリ機能等を備えたＭＦＰ（Multi Function Printer：複合機）が急速に普及してきている。このＭＦＰは、ネットワーク上の他の装置から投入されたプリントジョブに基づいて印刷処理を行うネットワークプリンタとしても使用されている。
【０００３】
一方、書類等に非接触ＩＣチップ（ＲＦ−ＩＤ又は非接触ＩＣタグなどとも云う。）を付加し、電子的な情報を非接触ＩＣチップに付与することが行われている。（例えば、特許文献１参照）。
【特許文献１】特開２００２−１２０４７５号公報
【発明の開示】
【発明が解決しようとする課題】
【０００４】
しかしながら、上記従来のＭＦＰは、図書館やコンビニエンスストアなど公共の場に設置され、スキャン機能、プリント機能、スキャンした画像を電子メールで転送する機能等を用いて顧客に各種サービスを提供している。そのため、雑誌や情報誌等の特定のページに存在する広告や懸賞等に対して興味を持ったユーザが、その詳細情報に対して容易にアクセスする機能が求められている。
【０００５】
一方、何らかの理由でページ順序がバラバラになってしまった原稿をコピーする際に、ユーザがそのページ順序を意識することなく行うことができ、コピーした用紙をソーティングしてページ順に出力する機能が求められている。
【０００６】
本発明は、上記課題に鑑みて成されたものであり、印刷物の所望のページの特定を容易に行うことができる画像形成装置及びその制御方法、並びにプログラムを提供することを目的とする。
【課題を解決するための手段】
【０００７】
上記目的を達成するために、請求項１記載の画像形成装置は、画像を読み取って印刷出力する画像形成装置において、無線交信可能な無線交信素子が付加された印刷物からページ情報を読み取るページ情報読取手段と、前記読み取られたページ情報に基づいて前記印刷物のページを特定するページ特定手段と、前記特定されたページの詳細情報を取得するページ情報取得手段と、前記取得した詳細情報を印刷出力する出力手段とを備えることを特徴とする。
【０００８】
上記目的を達成するために、請求項９記載の画像形成装置の制御方法は、画像を読み取って印刷出力する画像形成装置の制御方法において、無線交信可能な無線交信素子が付加された印刷物からページ情報を読み取るページ情報読取工程と、前記読み取られたページ情報に基づいて前記印刷物のページを特定するページ特定工程と、前記特定されたページの詳細情報を取得するページ情報取得工程と、前記取得した詳細情報を印刷出力する出力工程とを備えることを特徴とする。
【発明の効果】
【０００９】
本発明によれば、無線交信可能な無線交信素子が付加された印刷物からページ情報を読み取り、読み取られたページ情報に基づいて印刷物のページを特定し、特定されたページの詳細情報を取得して印刷出力するので、印刷物の所望のページの特定を容易に行うことができ、例えば、書籍や雑誌等の印刷物に記載されている広告や懸賞に対して興味を持ったユーザが、その詳細情報を容易に取得することができる。
【００１０】
また、本発明によれば、印刷物の画像を読み取り、読み取られた画像に、特定されたページのページ情報を付加し、ページ情報が付加された画像を特定されたページの昇順又は降順にソートして順に印刷出力するので、ユーザがその順序を意識することなく書籍や雑誌等の印刷物のスキャンを行うことができ、ユーザに快適なサービスを提供することが可能となる。
【発明を実施するための最良の形態】
【００１１】
以下、本発明の実施の形態を図面を参照して詳細に説明する。
【００１２】
［第１の実施の形態］
図１は、本発明の第１の実施の形態に係る画像形成装置の内部構成を示す縦断面図である。
【００１３】
図１において、本画像形成装置は、複写機能、プリンタ機能、スキャナ機能、及びファクシミリ機能等を備えたＭＦＰ（Multi Function Printer：複合機）１００から成る。ＭＦＰ１００は、原稿画像を読み取るイメージリーダ部１０１と、イメージリーダ部１０１により読み取られた画像データ又は外部から入力された画像データを印刷するプリンタ部１０２とを有する。
【００１４】
イメージリーダ部１０１は、例えば４００ｄｐｉ（dots/inch）の解像度で原稿画像を読み取ってデジタル信号処理を行う。プリンタ部１０２は、イメージリーダ部１０１により読み取られた画像データ等に応じた画像を、例えば１２００ｄｐｉの解像度で印刷する。
【００１５】
イメージリーダ部１０１では、点灯したランプ１０５を水平方向に移動することにより、原稿台ガラス１０３上に載置された原稿１０４を露光走査する。この露光走査時の原稿１０４からの反射光像は、ミラー１０６，１０７，１０８及びレンズ１０９を介して３ラインＣＣＤセンサ１１０に入射される。３ラインＣＣＤセンサ１１０は、入力された反射光像をレッド（Ｒ）、グリーン（Ｇ）、ブルー（Ｂ）の色成分毎に光電変換し、電子的なカラー画像信号として信号処理部１１１に転送する。なお、原稿画像を露光走査する際には、ランプ１０５及びミラー１０６は、ミラー１０７，１０８の２倍の速度で移動制御される。
【００１６】
信号処理部１１１は、３ラインＣＣＤセンサ１１０から入力されたＲ，Ｇ，Ｂの画像信号を、マゼンタ（Ｍ）、シアン（Ｃ）、イエロー（Ｙ）、ブラック（Ｂｋ）の画像信号に変換してプリンタ部１０２のレーザドライバ１１２に転送する。なお、原稿画像の１回の露光走査では、Ｍ，Ｃ，Ｙ，Ｂｋのうち１つの色成分に係る画像信号がレーザドライバ１１２に転送され、１枚の原稿画像に対して４回の露光走査が実行される。
【００１７】
レーザドライバ１１２は、半導体レーザ１１３から発振するレーザ光を、信号処理部１１１から転送されてきた画像信号、或いは後述するネットワーク・インタフェース・コントローラ５１１（ＮＩＣ）を介して入力された画像信号に基づいて変調する。半導体レーザ１１３から発振されたレーザ光は、ポリゴンミラー１１４、ｆ−θレンズ１１５、ミラー１１６を介して、感光ドラム１１７に入射される。この際、レーザ光は、ポリゴンミラー１１４により感光ドラム１１７の主走査方向に走査され、この走査により感光ドラム１１７には静電潜像が形成される。
【００１８】
回転現像器１１８は、マゼンタ現像部１１９、シアン現像部１２０、イエロー現像部１２１、ブラック現像部１２２より構成され、これら４つの現像部がサイクリックに感光ドラム１１７に接し、感光ドラム１１７上に順次形成されるマゼンタ（Ｍ）、シアン（Ｃ）、イエロー（Ｙ）、ブラック（Ｂｋ）に係る静電潜像を対応する色のトナーで順次現像する。
【００１９】
転写ドラム１２３は、用紙カセット１２４（または１２５）より供給される記録紙を巻きつけ、この記録紙上に、感光ドラム１１７上に順次形成されたＭ，Ｃ，Ｙ，Ｂｋ各色のトナー像を順次転写する。
【００２０】
このように、静電潜像形成処理、現像処理、転写処理のプロセスがＭ，Ｃ，Ｙ，Ｂｋ各画像信号について繰り返されることにより、Ｍ，Ｃ，Ｙ，Ｂｋの各色のトナー像が同一の記録紙に重ねて転写されてフルカラー画像が形成される。フルカラー画像が形成された記録紙は、転写ドラム１２３から分離され、定着ユニット１２６によりトナー像の定着処理がなされて排紙トレイ１２８に排紙される。
【００２１】
ＭＦＰ１００では、図１及び図２に示すように、原稿台カバー部１２９の下部(原稿載置方向)に非接触ＩＣリーダ／ライタ３０１，３０２を備え、図３（ａ）に示す非接触ＩＣ付き雑誌４０１を開いた状態で原稿台ガラス１０３上に載置し、原稿台カバー部１２９を閉じて所定の処理を行うと、非接触ＩＣリーダ／ライタ３０１，３０２により非接触ＩＣ付き雑誌４０１に付加された複数の非接触ＩＣ４０２からページ情報を複数同時に読み取ることができる。
【００２２】
また、ＭＦＰ１００では、図３（ｂ）に示す非接触ＩＣ２０２が漉き込まれたＩＤペーパ２０１を記録紙として使用することができる。定着ユニット１２６の手前の位置に設けられた非接触ＩＣリーダ／ライタ１２７は、ＩＤペーパ２０１に漉き込まれた非接触ＩＣ２０２に対して所定の情報をデータとして読み書きすることができる。なお、図示では、複数の非接触ＩＣ２０２が埋め込まれているが、ＩＤペーパ１枚に付き１つであってもよい。
【００２３】
非接触ＩＣ付き雑誌４０１は、図３（ａ）に示すように、雑誌を構成する複数の紙の図示された位置に非接触ＩＣ４０２がそれぞれ漉き込まれている。この非接触ＩＣ４０２には、非接触ＩＣ付き雑誌４０１のページを一意に特定するためのシリアルＩＤ（Identification）が格納されている。なお、非接触ＩＣ付き雑誌４０１は、雑誌に限らず、製本された印刷物であれば書籍やパンフレットであってもよい。また、非接触ＩＣ４０２の漉き込まれている位置は、図示に限られないが、非接触ＩＣリーダ／ライタ３０１，３０２が読み取りやすい位置に設置される。
【００２４】
次に、図１のプリンタ部１０２における制御部（不図示）のハードウェア構成を図４を参照して説明する。
【００２５】
図４は、図１のＭＦＰ１００のハードウェア構成を示すブロック図である。
【００２６】
図４において、ＭＦＰ１００は、インターネットやＬＡＮ（Local Area Network）等のネットワークを介してサーバ５２０に接続されている。サーバ５２０は、ネットワークの固有のＩＰ（Internet Protocol）アドレスが割り振られたサーバ・コンピュータであり、ＭＦＰ１００からのアクセスが可能である。
【００２７】
ＭＦＰ１００は、その制御部内にブリッジ回路５０６（Ｂｒ．）を介して接続されたローカルバス５０４とＩ／Ｏバス５０５とを有する。ローカルバス５０４には、ＣＰＵ５０１、ＲＡＭ５０２、及びＲＯＭ５０３が接続されている。
【００２８】
Ｉ／Ｏバス５０５には、デバイスＩ／Ｆ５０８（Device I/F）、ハードディスクＩ／Ｆ５１０（IDE I/F）、ネットワーク・インタフェース・コントローラ５１１（ＮＩＣ）、イメージ・プロセッシング・ユニット５１２（ＩＰＵ）、ラスタ・イメージ・プロセッサ５１３（ＲＩＰ）、ビデオＲＡＭ５１４（ＶＲＡＭ）、操作部Ｉ／Ｆ５１５（Panel I/F）、拡張Ｉ／Ｏ  Ｉ／Ｆ５１６（Extend I/O I/F）、及び非接触ＩＣリーダ／ライタ１２７、３０１、３０２（IC Reader/Writer）が接続されている。
【００２９】
デバイスＩ／Ｆ５０８には、プリンタエンジン５０７（Printer）とスキャナエンジン５１７（Scanner）が接続され、ハードディスクＩ／Ｆ５１０には、ハードディスクドライブ５０９（ＨＤＤ）が接続されている。
【００３０】
ＣＰＵ５０１は、ＲＯＭ５０３に格納されたブートプログラムにより、ハードディスクドライブ５０９内のシステムプログラム、アプリケーションプログラムをＲＡＭ５０２に展開し、これらシステムプログラム、アプリケーションプログラムを協働させてプリンタ部１０２における各種の制御を行う。なお、ＲＡＭ５０２は、ＣＰＵ５０１が各種演算を行う際の演算結果や画像データなどを一時的に記憶しておくワークエリアとしても利用され、ＲＯＭ５０３には、文字コードデータ等を文字イメージデータに変換するためのフォントデータ等も格納されている。
【００３１】
ブリッジ回路５０６は、ローカルバス５０４とＩ／Ｏバス５０５とを切り離すために用いられる。この切り離し機能により、例えばＩ／Ｏバス５０５を介してデバイスＩ／Ｆ５０８からラスタ・イメージ・プロセッサ５１３に画像データを転送している間に、ＣＰＵ５０１は、ローカルバス５０４を介してＲＡＭ５０２やＲＯＭ５０３にアクセスすることが可能となる。
【００３２】
プリンタエンジン５０７は、図１のプリンタ部１０２に相当するものである。デバイスＩ／Ｆ５０８は、プリンタエンジン５０７とＩ／Ｏバス５０５を接続するためのものであり、ＣＰＵ５０１の指示に従ってＲＡＭ５０２に格納されている画像データをプリンタエンジン５０７のレーザドライバ１１２に転送する。ハードディスクＩ／Ｆ５１０は、ＣＰＵ５０１の制御の下に、ハードディスクドライブ５０９に対するアクセスを実行する。なお、ハードディスクドライブ５０９には、さらに画像データもスプールされる。
【００３３】
ネットワーク・インタフェース・コントローラ５１１は、ネットワークを介してサーバ５２０やパーソナルコンピュータ等の外部装置に接続され、それら装置との間で画像データやページ情報や後述のシリアルＩＤ等を送受信する。
【００３４】
イメージ・プロセッシング・ユニット５１２は、解像度変換などの画像処理を行うものである。ラスタ・イメージ・プロセッサ５１３は、ＣＰＵ５０１の制御の下に、ネットワーク・インタフェース・コントローラ５１１を介して外部装置から転送されたページ記述言語に係る画像データをビットマップ画像に変換し、ＲＡＭ５０２に展開する。
【００３５】
ビデオＲＡＭ５１４には、操作部５１８（OPERATION PANEL）の表示パネル６０１（図５参照）に表示する表示データが書き込まれる。この表示データは、操作部Ｉ／Ｆ５１５を介して表示パネル６０１に出力される。拡張Ｉ／Ｏ  Ｉ／Ｆ５１６は、ＣＰＵ５０１が、例えば携帯電話（不図示）などと通信を行うためのインタフェース回路であり、電子メールの送信機能を有している。
【００３６】
非接触ＩＣリーダ／ライタ１２７は、図３（ｂ）に示したＩＤペーパ２０１に付加された非接触ＩＣ２０２に対するデータアクセスを無線により行う。非接触ＩＣリーダ／ライタ３０１，３０２は、非接触ＩＣ付き雑誌４０１に付加された非接触ＩＣ４０２に対するデータアクセスを無線通信により行う。
【００３７】
次に、操作部５１８の外観構成の概略を図５に示す。
【００３８】
図５において、表示パネル６０１は、ＬＣＤ（Liquid Crystal Display）上にタッチパネルシートが貼られており、システムの操作画面を表示すると共に、表示されているキーがタッチされるとその位置情報をＣＰＵ５０１に伝える。
【００３９】
スタートキー６０２は、原稿画像の読み取り動作を開始する場合などに用いられる。ストップキー６０３は稼働中の動作を止める機能を有する。ＩＤキー６０４は、通常のコピー動作を行うモードではなく、雑誌など原稿の非接触ＩＣを読み取る動作を行わせるモードを設定するときに用いられる。リセットキー６０５は操作部５１８からの設定を初期化するときに用いられる。
【００４０】
次に、非接触ＩＣリーダ／ライタ３０１，３０２，１２７の内部構成について図６を参照して説明する。
【００４１】
図６は、非接触ＩＣリーダ／ライタ３０１，３０２，１２７の内部構成を示すブロック図である。
【００４２】
図６において、非接触ＩＣリーダ／ライタ３０１，３０２，１２７は、電波信号を送信するための送信アンテナ部７０２と、送信アンテナ部７０２から送信するデータ信号を変調する変調回路７０３と、電波信号を受信する受信アンテナ部７０４と、受信アンテナ部７０４より受信した電波信号を復調する復調回路７０５と、非接触ＩＣ以外の機器等との通信を行うＩ／Ｆ部７０６と、制御部７０７とを有する。
【００４３】
制御部７０７は、送信アンテナ部７０２、変調回路７０３、受信アンテナ部７０４、復調回路７０５、及びＩ／Ｆ部７０６を制御する。送信アンテナ部７０２には、上述した電力生成用の電波を常時発信するための交流電源７０８が接続されている。
【００４４】
制御部７０７は、ＣＰＵ５０１からの指示により、変調回路７０３を用いて電力を供給するための電波及び送信するデータを変調して、送信アンテナ部７０２を介して電波を発信させる。また、制御部７０７は、受信アンテナ部７０４で受信した電波信号を復調回路７０５により復調させた後、データ信号として扱えるように変換することができる。
【００４５】
次に、非接触ＩＣ４０２，２０２について図７を参照して説明する。
【００４６】
図７は、非接触ＩＣ４０２，２０２の内部構成を示すブロック図である。
【００４７】
非接触ＩＣ４０２，２０２は、ＲＦＩＤ（Radio Frequency Identification）タグ又はデータキャリアとも呼ばれ、上述した非接触ＩＣリーダ／ライタ３０１，３０２，１２７，６１７との間で無線により交信することが可能となっている。
【００４８】
図７に示すように、非接触ＩＣ４０２，２０２は、不揮発性メモリ８０１と、電波を送受信するためのアンテナ部８０２と、共振コンデンサ部８０３と、電流の整流・平滑を行うための電力形成部８０４と、電波の復調・変調を行うための復変調回路８０５と、制御部８０６とをそれぞれ有する。この非接触ＩＣ４０２，２０２は、バッテリ等の電源を内蔵しておらず、非接触ＩＣリーダ／ライタ３０１，３０２，１２７，６１７から供給される電波に基づいて電力を誘電している。すなわち、アンテナ部８０２は、共振コンデンサ部８０３との組み合わせで共振回路を形成している。
【００４９】
非接触ＩＣリーダ／ライタ３０１，３０２，１２７は、常時、電力生成用の電波（交流磁界）を発している。この非接触ＩＣリーダ／ライタ３０１，３０２，１２７に非接触ＩＣ４０２，２０２をかざすと、非接触ＩＣ４０２，２０２内の共振回路には電磁誘導作用により誘導電流が発生する。この誘導電流は電力形成部８０４に出力される。電力形成部８０４は、入力された誘導電流を整流・平滑して所定電圧の電力を生成し、不揮発性メモリ８０１、制御部８０６、及び復変調回路８０５に供給する。
【００５０】
また、非接触ＩＣリーダ／ライタ３０１，３０２，１２７は、電力生成用の電波信号の他に各種のデータに係る電波信号も同時に送信しており、このデータに係る電波信号は、復変調回路８０５によって復調され、制御部８０６の制御の下に不揮発性メモリ８０１に書き込まれる。制御部８０６は、不揮発性メモリ８０１からデータを読み出し、復変調回路８０５によって変調してアンテナ部８０２を介して電波信号として発信する。
【００５１】
本実施の形態では、極小サイズのミューチップ型の非接触ＩＣを想定しており、図３（ａ）に示すように、この非接触ＩＣを、非接触ＩＣ付き雑誌４０１を構成する各紙に埋め込んで使用する。また、図３（ｂ）のＩＤペーパ２０１のように、ラベル型の非接触ＩＣを記録紙に貼り付けて使用することも可能である。このような形態で記録紙や雑誌等の情報媒体（紙）に対して非接触ＩＣを付加する場合、当該情報媒体の４隅や周辺部等の余白となるべき位置に付加することが望ましい。
【００５２】
図８（ａ）は、図３（ａ）の非接触ＩＣ付き雑誌４０１の詳細構成を示す図であり、図８（ｂ）は非接触ＩＣに格納されたデータ形式の概略を示す図である。
【００５３】
図８（ａ）において、非接触ＩＣ付き雑誌４０１は、例えば、３００ページ分の紙面を有し、表紙・裏表紙を含めた各紙にそれぞれ１つずつ合計１５０個の非接触ＩＣが付加されている。各非接触ＩＣには、例えば、図８（ｂ）に示すデータ形式のページ情報９０１が格納されている。
【００５４】
図８（ｂ）において、ページ情報９０１は、シリアルＩＤ部９０２と、データ部９０３とで構成される。シリアルＩＤ部９０２には、上述したシリアルＩＤが格納されている。
【００５５】
データ部９０３は、コントロールビット部９０４を備える。コントロールビット部９０４には、各制御に用いるデータが格納されており、最初の１ビットが初期読み出しビット９０４ａとして指定され、次の１ビットがソーティングコピー可能ビット９０４ｂとして指定されている。例えば、初期読み出しビット９０４ａに１が設定されている場合、コントロールビット部９０４以外のデータ部９０３には、サーバ５２０のＩＰアドレスが設定されている。この初期読み出しビット９０４ａは、雑誌４０１に付加された全ての非接触ＩＣに指定されていてもよいし、例えば、表紙といった特定の１つの非接触ＩＣに指定されていてもよい。ソーティングコピー可能ビット９０４ｂは、後述の第３の実施形態で用いられる情報であり、その詳細については後述する。
【００５６】
次に、本実施の形態におけるページ特定・広告詳細情報印刷処理を図９〜図１１を参照して説明する。本処理は、非接触ＩＣ付き雑誌４０１に付加された複数の非接触ＩＣ４０２を利用してページを特定し、当該ページに掲載された広告等の詳細情報をネットワーク上のサーバ５２０から取得して印刷するものである。
【００５７】
図９は、図１のＭＦＰ１００にて実行されるページ特定・広告詳細情報印刷処理を示すフローチャートである。本処理は、ＣＰＵ５０１及びサーバ５２０のＣＰＵ（不図示）により協働して実行されるものである。
【００５８】
図９において、まず、操作部５１８のキー６０４の操作により、通常のコピー動作とは異なる「広告取得」モードを設定し、雑誌を画像形成装置１００の原稿台ガラス１０３上に載置する。そして、２つの非接触ＩＣリーダ／ライタ３０１，３０２により非接触ＩＣ付き雑誌４０１のページ情報を読み取る（ステップＳ１００１）。ここでは、ユーザにより非接触ＩＣ付き雑誌４０１の所望のページ、例えば、図１０（ａ）に示すように、１００〜１０１ページが開かれた状態で原稿台ガラス１０３上に載置され、原稿台カバー部１２９を閉じて非接触ＩＣ付き雑誌４０１の開いたページに密着させ、操作部（不図示）から読み取り命令が指示されると、原稿台カバー部１２９内の非接触ＩＣリーダ／ライタ３０１によって、開かれた状態の非接触ＩＣ付き雑誌４０１の左側のページの紙束、すなわち１〜１００ページの５０枚に埋め込まれた各非接触ＩＣ４０２からページ情報９０１を読み取る。
【００５９】
同時に、原稿台カバー部１２９内の非接触ＩＣリーダ／ライタ３０２によって、開かれた状態の非接触ＩＣ付き雑誌４０１の右側のページの紙束、すなわち１０１〜３００ページの１００枚に埋め込まれた各非接触ＩＣからページ情報９０１を読み取る。ここで、非接触ＩＣ付き雑誌４０１のページ折れ等により、少ない量のページ情報しか検知されない場合、エラー表示を行う。
【００６０】
次に、ステップＳ１００１にて非接触ＩＣから読み取ったページ情報９０１の中からデータ部９０３の初期読み出しビット９０４ａが１に設定されているものを検索し、そのデータ部９０３に格納されたＩＰアドレスに基づいて、データ通信を行うべきネットワーク上のサーバ５２０を認識する（ステップＳ１００２）。
【００６１】
サーバ５２０には、図１１（ａ）に示すテーブル情報９０５が格納されている。テーブル情報９０５は、非接触ＩＣ付き雑誌４０１に付加された非接触ＩＣに格納されているシリアルＩＤと、当該シリアルＩＤに対応する雑誌ＩＤと、当該シリアルＩＤに対応するページ番号（ページＮｏ．）とで構成される。このテーブル情報９０５は、例えば、非接触ＩＣ付き雑誌４０１を出版する出版社によって用意され、予めサーバ５２０に格納される。
【００６２】
ＭＦＰ１００は、読み取った非接触ＩＣのシリアルＩＤに基づいてテーブル情報９０５を参照することにより、どの雑誌の、どのページに相当するものであるかを識別することができる。
【００６３】
本実施の形態においては、１つのシリアルＩＤには、１枚の紙の表と裏の２ページ分が対応するので、サーバ５２０の「ページＮｏ．」に格納されるページ番号は、表裏２ページのうちの偶数ページのみを格納するものとする。なお、サーバ５２０の「ページＮｏ．」に格納されるページ番号として、表裏２ページの内の奇数ページ番号を格納してもよいし、表裏２ページの両方のページ番号を格納するようにしてもよい。
【００６４】
次に、ステップＳ１００３では、第１のページ番号群（ｘ１）と第２のページ番号群（ｘ２）をサーバ５２０から取得する。ここでは、ＭＦＰ１００が、非接触ＩＣリーダ／ライタ３０１によりページ情報として読み取った複数のシリアルＩＤをサーバ５２０に送信すると、サーバ５２０が、受信した複数のシリアルＩＤに基づいてテーブル情報９０５を参照し、当該シリアルＩＤに対応する複数のページ番号を第１のページ番号群（ｘ１）としてＭＦＰ１００に送信する。
【００６５】
同時に、ＭＦＰ１００が、非接触ＩＣリーダ／ライタ３０２によりページ情報として読み取った複数のシリアルＩＤをサーバ５２０に送信し、サーバ５２０が、受信した複数のシリアルＩＤに基づいてテーブル情報９０５を参照し、当該シリアルＩＤに対応する複数のページ番号を第２のページ番号群（ｘ２）としてＭＦＰ１００に送信する。
【００６６】
なお、ここで、サーバ５２０はＭＦＰ１００から送られてきたシリアルＩＤに対応する全てのページ番号群を送り返さずに、非接触ＩＣリーダ／ライタ３０１で読み取られたシリアルＩＤに対応するページ情報の最小値をＭＦＰ１００に送信し、非接触ＩＣリーダ／ライタ３０２で読み取られたシリアルＩＤに対応するページ情報の最大値をＭＦＰ１００に送信するようにしてもよい。
【００６７】
次に、ＭＦＰ１００では、サーバ５２０から取得した第１のページ番号群（ｘ１）の最小値（ＭＩＮ（ｘ１））と取得した第２のページ番号群（ｘ２）の最大値（ＭＡＸ（ｘ２））と比較し、その２つの値の差が２になるか否かを判別する（ステップＳ１００４）。例えば、取得した第１のページ番号群（ｘ１）の最大のページ番号が１００であり、取得した第２のページ番号群（ｘ２）の最小のページ番号が１０２である場合は、非接触ＩＣ付き雑誌４０１で開いているページは１００〜１０１ページであると特定することができる。
【００６８】
ステップＳ１００４の判別の結果、２つの値の差が２になると判断したときは（ステップＳ１００４でＹＥＳ）、ステップＳ１００６へ進む一方、２つの値の差が２にならないと判断したときは（ステップＳ１００４でＮＯ）、ステップＳ１００５へ進む。
【００６９】
ステップＳ１００５では、第１のページ番号群（ｘ１）の最大値（ＭＡＸ（ｘ１））と第２のページ番号群（ｘ２）の最小値（ＭＩＮ（ｘ２））とを比較し、その２つの値の差が２になるか否かを判別する。例えば、第１のページ番号群（ｘ１）の最小のページ番号が１０２であり、第２のページ番号群（ｘ２）の最小のページ番号が１００である場合は、非接触ＩＣ付き雑誌４０１で開いているページは１０１〜１００ページであると特定することができる。これは、左開きを想定した雑誌ではなく、右開きである雑誌（図示略）を載置した場合や左開きの雑誌を上下逆、もしくは天地逆に載置した場合のページ特定時に有効となる。
【００７０】
ステップＳ１００５の判別の結果、２つの値の差が２になると判断したときは（ステップＳ１００５でＹＥＳ）、ステップＳ１００６進む一方、２つの値の差が２にならないと判断したときは（ステップＳ１００５でＮＯ）、ステップＳ１０１０へ進み、エラーメッセージを表示するか印刷してエラー処理を行い、本処理を終了する。
【００７１】
ステップＳ１００６では、ＭＦＰ１００は、互いに比較したページ番号のうち、ページ番号の大きい方に対応するシリアルＩＤをサーバ５２０に送信し、広告詳細情報の取得要求を行う。
【００７２】
サーバ５２０には、上述したテーブル情報９０５に加えて、図１１（ｂ）に示す広告詳細情報テーブル９０６が格納されている。広告詳細情報テーブル９０６は、雑誌ＩＤと、ページ番号と、ページ番号に対応する広告詳細ファイルとで構成される。広告詳細ファイルは、アドビシステムズ社のＰＤＦ(Portable Document Format)形式で作成されているが、これに限定されるものではない。
【００７３】
サーバ５２０は、ＭＦＰ１００から広告詳細情報の取得要求としてシリアルＩＤを受信すると、このシリアルＩＤに対応する雑誌ＩＤとページ番号をテーブル情報９０５から検索し、検索した雑誌ＩＤ及びページ番号に対応する広告詳細ファイルを更に広告詳細情報テーブル９０６から検索する。このとき、対応する広告詳細ファイルがあるときは、そのファイルと共に印刷命令をＭＦＰ１００に送信する一方、当該ファイルがないときは、エラーメッセージをＭＦＰ１００に送信する（ステップＳ１００７）。
【００７４】
ＭＦＰ１００は、サーバ５２０から受信したメッセージが広告詳細ファイルの印刷命令なのか、エラーメッセージなのかを判別し（ステップＳ１００８）、広告詳細ファイルの印刷命令であるときは（ステップＳ１００８でＹＥＳ）、受信した広告詳細ファイルの印刷を行い（ステップＳ１００９）、本処理を終了する。一方、エラーメッセージであるときは（ステップＳ１００８でＮＯ）、ステップＳ１０１０へ進み、エラーメッセージを表示または印刷して、本処理を終了する。
【００７５】
上記第１の実施の形態によれば、ＭＦＰ１００上に開いた状態で載置された非接触ＩＣ付き雑誌４０１に付加された非接触ＩＣからページ情報９０１を読み取り、読み取ったページ情報９０１内のＩＰアドレスからサーバ５２０を認識すると共に、ページ情報９０１内のシリアルＩＤに基づいてサーバ５２０からページ番号群（第１のページ番号群及び第２のページ番号群）を取得し、取得したページ番号群から雑誌４０１の開かれたページ番号を特定し、当該ページ番号に対応する広告詳細ファイルをサーバ５２０から取得して印刷するので、雑誌に記載されている広告や懸賞に対して興味を持ったユーザが、その詳細情報を容易に取得することができる。
【００７６】
上記実施の形態では、ステップＳ１００２〜Ｓ１００５のページ特定処理をサーバ５０２に問い合わせることによって行っていたが、ＭＦＰ１００内で行うようにしてもよい。これにより、サーバ５２０に接続することなく、ページ番号特定処理を行うことができるので、ページ特定を短期間に行うことができ、ネットワーク障害が発生した場合であってもユーザに迷惑をかけることなく、処理を行うことができる。また、ステップ１１０６においてＭＦＰ１００は、互いに比較したページ番号のうち、ページ番号の大きい方に対応するシリアルＩＤをサーバ５２０に送信するようにしているが、小さい方に対応するシリアルＩＤをサーバ５２０に送信するようにしてもよい。
【００７７】
［第２の実施の形態］
本発明の第２の実施の形態に係る画像形成装置は、上記第１の実施の形態で説明したＭＦＰ１００と基本的な構成及び構造が同じであり、その説明を省略する。以下に、上記第１の実施の形態と異なる点のみを説明する。
【００７８】
上記第１の実施の形態では、ＭＦＰ１００において、非接触ＩＣ付き雑誌を構成する紙に付加された非接触ＩＣを用いてページの特定を行い、当該ページに掲載された広告等の詳細情報を印刷する機能を説明したが、本第２の実施の形態では、例えば、ユーザが非接触ＩＣ付き雑誌の一部をページ順に行うことなくスキャンした場合でも、ページ順にソートして印刷処理を行う機能について説明する。
【００７９】
図１２は、本発明の第２の実施の形態におけるＭＦＰ１００により実行されるページソート印刷処理を示すフローチャートである。本処理は、ＣＰＵ５０１及びサーバ５２０のＣＰＵ（不図示）により協働して実行されるものである。
【００８０】
図１２において、まず、雑誌のページをリーダ部で光学スキャンすると共に、２つの非接触ＩＣリーダ／ライタ３０１，３０２により非接触ＩＣ付き雑誌４０１のページ情報を読み取る（ステップＳ１１０１）。
【００８１】
原稿台カバー部１２９を閉じて非接触ＩＣ付き雑誌４０１に密着させ、操作部５１８からスキャンジョブが投入されると、非接触ＩＣ付き雑誌４０１の開いたページをスキャンして画像を読み取ると共に、原稿台カバー部１２９内の非接触ＩＣリーダ／ライタ３０１によって、開かれた状態の非接触ＩＣ付き雑誌４０１の左側のページの紙束に付加されている非接触ＩＣ４０２からページ情報を読み取り、同時に、原稿台カバー部１２９内の非接触ＩＣリーダ／ライタ３０２によって、開かれた状態の非接触ＩＣ付き雑誌４０１の右側のページの紙束に付加されている非接触ＩＣ４０２からページ情報を読み取る。ここでも、上記第１の実施の形態と同様に、非接触ＩＣ付き雑誌４０１のページ折れ等により、少ない量のページ情報しか検知されない場合、エラー表示を行う。
【００８２】
次に、ステップＳ１１０２〜Ｓ１１０５では、上記第１の実施の形態における図１０のステップＳ１００２〜Ｓ１００５と同様の処理を行い、スキャンしたページの特定を行う。一方、ページが特定できなかった場合は（ステップＳ１１０５でＮＯ）、ステップＳ１１０７へ進み、エラーメッセージを表示し又は印刷したり、当該スキャンデータを破棄するなどのエラー処理を行った後、ステップＳ１１０６に進む。
【００８３】
ステップＳ１１０６では、イメージリーダ部１０１にてスキャンした非接触ＩＣ付き雑誌４０１のページの画像データに、ステップＳ１１０２〜Ｓ１１０５にて特定したページ情報を属性情報として付加してＨＤＤ５０９に格納し、ステップＳ１１０８へ進む。
【００８４】
ステップＳ１１０８では、次にスキャンするページがあるか否かを判別し、スキャンするページがある場合、すなわち次にスキャンされたページがある場合は、ステップＳ１１０１へ戻り、次データのスキャンとページ特定処理とを繰り返し行う。
【００８５】
一方、次にスキャンするページがない場合は、スキャンデータのソーティングを行う（ステップＳ１１０９）。すなわち、上記処理によりスキャンしてＨＤＤ５０９に格納されたスキャンデータを、サーバ５２０から受信したページ番号情報に基づいて昇順にソートする。そして、そのソーティングした順番でＨＤＤ５０９に格納されたスキャンデータを読み出して印刷処理を行い（ステップＳ１１１０）、本処理を終了する。
【００８６】
上記第２の実施の形態によれば、非接触ＩＣ４０２が付加された非接触ＩＣ付き雑誌４０１において、ユーザが当該雑誌４０１の一部のページをバラバラのページ順でスキャンし、印刷しようとした場合でも、ＭＦＰ１００がページ順でソートして印刷処理を行うことができる。これより、ユーザがその順序を意識することなく雑誌のスキャンを行うことができ、ユーザに快適なサービスを提供することが可能となる。
【００８７】
上記実施の形態では、ステップＳ１１０２〜Ｓ１１０５のページ特定処理をサーバ５０２に問い合わせることによって行っていたが、ＭＦＰ１００内で行うようにしてもよい。
【００８８】
ＭＦＰ１００にてステップＳ１１０２〜Ｓ１１０５の処理を行う場合は、サーバ５２０が有する図１１（ａ）に示すテーブル情報９０５に相当するテーブルをＭＦＰ１００のＨＤＤ５０９に格納し、これを参照することで実現することができる。
【００８９】
または、テーブル情報９０５のようなテーブルを有さなくても、雑誌の各用紙に付加された非接触ＩＣのシリアルＩＤが先頭ページから最終ページまで連続に付加されていれば、これらの非接触ＩＣを非接触ＩＣリーダ／ライタが読み取り、シリアルＩＤの最大値と最小値を検出することにより原稿台に載置されている雑誌の全ページ数を把握することができ、各シリアルＩＤに対応したページ数を求めることができる。これにより、サーバ５２０に接続することなく、ページソート印刷処理を行うことができるので、ページ特定を短期間に行うことができ、ネットワーク障害が発生した場合であってもユーザに迷惑をかけることなく、処理を行うことができる。
【００９０】
［第３の実施の形態］
本発明の第３の実施の形態に係る画像形成装置は、上記第１及び第２の実施の形態で説明したＭＦＰとその基本的な構成及び構造が同じであり、その説明を省略する。以下に、上記第１及び第２の実施の形態と異なる点のみを説明する。
【００９１】
上記第２の実施の形態では、ＭＦＰ１００において、ページ毎に非接触ＩＣが付加された雑誌の一部をバラバラのページ順でスキャンした場合でも、ページ順にソートして印刷処理を行う機能を説明したが、本第３の実施の形態では、複数のページで構成される印刷データをバラバラにしてコピーする場合でも、ページ順にソートして印刷処理を行う機能について説明する。
【００９２】
図１３は、本発明の第３の実施の形態におけるＭＦＰにより実行されるソーティングコピー可能原稿の印刷処理を示すフローチャートである。本処理は、ＣＰＵ５０１により実行されるものである。
【００９３】
図１３において、ＭＦＰ１００は、印刷ジョブが投入されると（ステップＳ１２０１）、用紙カセット１２４等より供給される記録紙（ＩＤペーパ２０１）に対して印刷ジョブに基づく印刷処理を行う（ステップＳ１２０２）。印刷処理が施されたＩＤペーパ２０１は、排紙口前に設置された非接触ＩＣリーダ／ライタ１２７により、当該ＩＤペーパ２０１に付加された非接触ＩＣ（非接触ＩＣ２０２）からシリアルＩＤを読み取る（ステップＳ１２０３）。
【００９４】
次に、ＭＦＰ１００は、シリアルＩＤの読み取りと実質ほぼ同時に、ＩＤペーパ２０１に付加された非接触ＩＣにデータの書き込みを行う（ステップＳ１２０４）。ここでは、非接触ＩＣに格納されているページ情報９０１（図９（ｂ））のソーティングコピー可能ビット９０４ｂに１を書き込み、読み取ったシリアルＩＤに対するページ番号情報を格納するためのサーバ５２０のＩＰアドレスをデータ部９０３に書き込む。
【００９５】
次に、印刷処理が施されたＩＤペーパ２０１を排紙し、投入された印刷ジョブに対する未印刷ページがあるか否かを判別する（ステップＳ１２０５）。この判別の結果、未印刷ページがあるときは、ステップＳ１２０２に戻って、印刷ページがなくなるまで同様の処理を繰り返す。
【００９６】
ステップＳ１２０５の判別の結果、未印刷ページがなくなり、印刷ジョブの印刷が完了すると、ＭＦＰ１００は、読み取ったシリアルＩＤと、１つの印刷ジョブ毎に付加される原稿番号及び１から昇順に付加されたページ番号の組を、ステップＳ１２０４でページ情報９０１に書き込んだＩＰアドレスを有するサーバ５２０に送信し、図１４に示すテーブル１４０１に格納して（ステップＳ１２０６）、本処理を終了する。
【００９７】
次に、複数のＩＤペーパ２０１に印刷された原稿を、ページ順をバラバラにしてコピーした際、各原稿のページ番号を特定し、ソーティングして印刷する処理を図１５のフローチャートを参照して説明する。
【００９８】
図１５は、本第３の実施の形態におけるコピーのソーティング印刷処理を示すフローチャートである。本処理は、ＣＰＵ５０１より実行されるものである。
【００９９】
図１５において、ＭＦＰ１００では、ユーザにより原稿台ガラス１０３上にＩＤペーパ２０１に印刷された原稿が載置され、原稿台カバー部１２９を閉じて操作部からコピージョブが投入されると（ステップＳ１３０１）、原稿台カバー部１２９内の非接触ＩＣリーダ／ライタ３０１，３０２によって、原稿に付加された非接触ＩＣからページ情報９０１を読み取り、ソーティングコピー可能ビット９０４ｂを検索してサーバ５２０を認識する（ステップＳ１３０２）。ここでは、ソーティングコピー可能ビット９０４ｂが１であれば、データ部９０３に格納されたＩＰアドレスからデータ通信を行うサーバ５２０を一意に認識する。
【０１００】
次に、原稿のスキャン処理（ステップＳ１３０３）を行った後、原稿のシリアルＩＤを読み取って（ステップＳ１３０４）、メモリに保持する。つづいて、スキャンする原稿があるか否かを判別し（ステップＳ１３０５）、スキャンする原稿があるときは、ステップＳ１３０３に戻って、スキャン原稿がなくなるまで同様の処理を繰り返す。
【０１０１】
一方、スキャン原稿がなくなったときは、ステップＳ１３０４で読み込んだ原稿毎のシリアルＩＤをサーバ５２０に送信し、テーブル１４０１に基づいて検索された各原稿に対するページ番号をサーバ５２０から取得する（ステップＳ１３０６）。
【０１０２】
次に、取得したページ番号が昇順になるように、スキャンした原稿をソーティングし（ステップＳ１３０７）、印刷処理を行って（ステップＳ１３０８）、本処理を終了する。
【０１０３】
上記第３の実施の形態によれば、１枚又は複数枚のＩＤペーパ２０１で構成された原稿をコピーする場合でも、ページ順にソートして印刷処理を行うことができる。
【０１０４】
上記第１〜上記第３の実施の形態においては、いずれもＩＤペーパ２０１の非接触ＩＣに格納されているシリアルＩＤを用いて、外部サーバ５２０のシリアルＩＤ‐ページ番号テーブルからページ番号を取得して各種ページの特定を行っていたが、本発明におけるページ番号情報は外部サーバ５２０に格納されていることに限るものではない。すなわち、上記第１の実施の形態と上記第２の実施の形態に関して、出版社での印刷時に、雑誌の各ページに付加された非接触ＩＣにページ番号情報が書き込まれていれば、ＭＦＰ１００と外部サーバ５２０との通信を短時間にしながら、各実施の形態での機能を提供することができる。
【０１０５】
また、上記第３の実施の形態に関して、図１５に示すテーブル１４０１を外部サーバ５２０ではなく、ＭＦＰ１００が有するＨＤＤ５０９に格納することで、ＭＦＰ１００と外部サーバ５２０との通信を短時間にしながら、前記実施の形態での機能を提供することができる。
【０１０６】
本発明の目的は、上記実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【０１０７】
この場合、記憶媒体から読み出されたプログラムコード自体が上述した実施の形態の機能を実現することになり、そのプログラムコードを記憶した記憶媒体は本発明を構成することになる。
【０１０８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【０１０９】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれる。
【０１１０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれる。
【図面の簡単な説明】
【０１１１】
【図１】本発明の第１の実施の形態に係る画像形成装置の内部構成を示す縦断面図である。
【図２】図１の非接触ＩＣリーダ／ライタ３０１，３０２の外観を示す図である。
【図３】（ａ）は図１のＭＦＰ１００により読み取ることが可能な非接触ＩＣ付き雑誌の概略を示す図であり、（ｂ）は図１のＭＦＰ１００に記録紙として使用されるＩＤペーパの概略を示す図である。
【図４】図１のＭＦＰ１００のハードウェア構成を示すブロック図である。
【図５】図４の操作部５１８の外観構成の概略図である。
【図６】非接触ＩＣリーダ／ライタ３０１，３０２及び非接触ＩＣリーダ／ライタ１２７の内部構成を示すブロック図である。
【図７】図３（ａ）の非接触ＩＣ４０２及び図３（ｂ）の非接触ＩＣ２０２の内部構成を示すブロック図である。
【図８】（ａ）は図３（ａ）の非接触ＩＣ付き雑誌４０１の詳細構成を示す図であり、（ｂ）は非接触ＩＣに格納されたデータ形式の概略を示す図である。
【図９】図１のＭＦＰ１００にて実行されるページ特定・広告詳細情報印刷処理を示すフローチャートである。
【図１０】（ａ）は右開きの非接触ＩＣ付き雑誌４０１の一例を示す図であり、（ｂ）は左開きの非接触ＩＣ付き雑誌４０１の一例を示す図である。
【図１１】（ａ）はシリアルＩＤに対応するページ番号のテーブル情報を示す図であり、図１１（ｂ）はページ番号に対応する広告詳細ファイルのテーブル情報を示す図である。
【図１２】本発明の第２の実施の形態におけるＭＦＰ１００により実行されるページソート印刷処理を示すフローチャートである。
【図１３】本発明の第３の実施の形態におけるＭＦＰにより実行されるソーティングコピー可能原稿の印刷処理を示すフローチャートである。
【図１４】シリアルＩＤに対応するページ番号のテーブル情報を示す図である。
【図１５】本発明の第３の実施の形態におけるＭＦＰにより実行されるコピーのソーティング印刷処理を示すフローチャートである。
【符号の説明】
【０１１２】
１００  ＭＦＰ
１０１  イメージリーダ部
１０２  プリンタ部
１２９  原稿台カバー部
２０１  ＩＤペーパ
３０１，３０２  非接触ＩＣリーダ／ライタ
４０１  非接触ＩＣ付き雑誌
２０２，４０２  非接触ＩＣ
５２０  サーバ
９０１  ページ情報
【図１】
2006110854.tif 000003
【図２】
2006110854.tif 000004
【図３】
2006110854.tif 000005
【図４】
2006110854.tif 000006
【図５】
2006110854.tif 000007
【図６】
2006110854.tif 000008
【図７】
2006110854.tif 000009
【図８】
2006110854.tif 000010
【図９】
2006110854.tif 000011
【図１０】
2006110854.tif 000012
【図１１】
2006110854.tif 000013
【図１２】
2006110854.tif 000014
【図１３】
2006110854.tif 000015
【図１４】
2006110854.tif 000016
【図１５】
2006110854.tif 000017